【事件の表示】
　特許第２９２３４４３号「使い捨てパンツの製造方法」の特許に対する特許異議の申立てについて、次のとおり決定する。
【結　論】
　訂正を認める。
　特許第２９２３４４３号の請求項に係る特許を維持する。
【理　由】
＜1＞手続の経緯　
　本件特許第2923443号は、平成7年4月20日に特許出願され、平成11年4月30日にその特許の設定の登録がなされ、その後、中野宗昭より特許異議の申立てがなされ、取消理由通知がなされ、その指定期間内である平成12年7月6日に意見書の提出とともに訂正請求がなされたものである。
　
　
＜2＞訂正の適否についての判断　
＜2-1＞訂正の内容 　
　特許権者が求めている訂正の内容は、特許請求の範囲の
「【請求項1】　
バックシートまたはトップシートに脚部用の弾性糸が複数本添設され、該複数の弾性糸によってパンツの前側および後側に湾曲した前ラインと後ラインがそれぞれ構成されている使い捨てパンツを製造する方法であって、上記複数の弾性糸を等間隔に挿通して連続シート幅方向へ往復移動するガイドを、弾性糸の添設軌跡に対して常に垂直となるように揺動させることにより、上記複数の弾性糸同士の間隔が等しくなるように接着することを特徴とする使い捨てパンツの製造方法。　
【請求項2】　
上記複数の弾性糸を挿通して連続シート幅方向へ往復移動するガイドを、シート幅方向の略中央からスタートして左右幅方向へ移動させることにより、上記前ラインおよび後ラインの有効弾性範囲における弾性復元力がほぼ均一になるように弾性糸を配設するものである請求項1記載の使い捨てパンツの製造方法。」　
を、訂正明細書の特許請求の範囲の記載のとおり、すなわち、　
「【請求項1】　
バックシートまたはトップシートに脚部用の弾性糸が複数本添設され、該複数の弾性糸によってパンツの前側および後側に湾曲した前ラインと後ラインがそれぞれ構成されている使い捨てパンツを製造する方法であって、上記複数の弾性糸を等間隔に挿通して連続シート幅方向へ往復移動するガイドを、弾性糸の添設軌跡に対して常に垂直となるように駆動機構により強制的に揺動させることにより、上記複数の弾性糸同士の間隔が等しくなるように接着することを特徴とする使い捨てパンツの製造方法。　
【請求項2】　
バックシートまたはトップシートに脚部用の弾性糸が複数本添設され、該複数の弾性糸によってパンツの前側および後側に彎曲した前ラインと後ラインがそれぞれ構成されている使い捨てパンツを製造する方法であって、上記複数の弾性糸を等間隔に挿通して連続シート幅方向へ往復移動するガイドを、弾性糸の添設軌跡に対して常に垂直となるように揺動させることにより、上記複数の弾性糸同士の間隔が等しくなるように接着すると共に、上記ガイドを、シート幅方向の略中央からスタートして左右幅方向へ移動させることにより、上記前ラインおよび後ラインの有効弾性範囲における弾性復元力がほぼ均一になるように弾性糸を配設することを特徴とする使い捨てパンツの製造方法。」　
に訂正するとともに、特許明細書の段落【0014】【0015】【0018】を、訂正明細書の段落【0014】【0015】【0018】の記載のとおりに訂正する。　　
　
＜2-2＞訂正の目的の適否、新規事項の有無および特許請求の範囲の拡張・変更の有無　
　上記請求項1の訂正は、訂正前の特許請求の範囲の請求項1に記載された使い捨てパンツの製造方法において「常に垂直となるように揺動させることにより」を「常に垂直となるように駆動機構により強制的に揺動させることにより」と限定するものであり、特許請求の範囲の減縮に該当する。　
　上記の訂正しようとする事項は、訂正前の明細書の段落【0022】（特許公報第4頁第7欄第3〜6行）に記載された事項であり、この訂正により実質上、特許請求の範囲を拡張又は変更するものではない。　
　
　また、上記請求項2の訂正は、上記請求項1が限定されたので、訂正前の請求項2における請求項1の引用箇所を、訂正前の請求項1と同じ記載内容に訂正したものであり、請求項1の訂正に伴う明りょうでない記載の釈明に該当し、この訂正により、実質上特許請求の範囲を拡張又は変更するものではない。　
　
　そして、上記段落【0014】【0015】【0018】の訂正は、上記請求項1の訂正、および該訂正に伴う上記請求項2の訂正に対応して明細書の記載を整合させようとするものであるから、何れも請求項1の訂正に伴う明りょうでない記載の釈明に該当し、請求項1および請求項2の訂正と同様に訂正前の明細書に記載された事項の範囲内の訂正であり、実質上特許請求の範囲を拡張又は変更するものではない。　
　
　
＜2-3＞独立特許要件の判断　
＜2-3-1＞訂正後の発明　
訂正後の特許請求の範囲の請求項1に係る発明は、上記訂正明細書の特許請求の範囲の請求項1に記載されたとおりのものである。　
　
＜2-3-2＞引用発明　
　当審が通知した取消理由で引用した、本件特許の出願の日前の出願であって、その出願後に出願公開された特願平5-283660号（特開平7-136210号公報、異議申立人の提出した甲第1号証）の願書に最初に添付された明細書（以下、「先願明細書」という）には、以下の記載がある。　
ａ：
「【特許請求の範囲】　
【請求項1】連続的に供給される複層帯状シート間に複数本の糸状弾性体を伸長湾曲させながら挟み込み、前記複層帯状シートを一体に接合して使い捨て着用品の展開部品を連続的に製作し、個別的に切断することによりギャザを形成する使い捨て着用品のギャザ製作方法であって、　
前記複層帯状シート間に挟み込まれる複数本の糸状弾性体を、隣接する前記糸状弾性体同士が等間隔を維持する様に湾曲させつつ取り付けることを特徴とする使い捨て着用品のギャザ製作方法。　
【請求項2】所定間隔でガイド孔が形成され、それぞれのガイド孔に前記糸状弾性体を貫通させたガイダーを首振り回動させながら前記複数本の糸状弾性体を案内引き出しする請求項1記載のギャザ製作方法。」　
　
ｂ：「【0004】　
【発明の解決しようとする課題】しかしながら、このような従来のガイダーでは、図7に示した様に、ガイダーが帯状シートの幅方向端部側に移動するにつれて、糸状弾性体51の間隔が狭くなってしまい、ギャザの見栄えが悪いだけでなく、着用感も悪くなるという問題があった。」　
　
ｃ：「【0007】本発明のギャザ製作方法においては、所定間隔でガイド孔が形成され、それぞれのガイド孔に糸状弾性体を貫通させたガイダーを首振り回動させながら複数本の糸状弾性体を案内引き出しすれば、糸状弾性体の間隔を等間隔に維持することができる。」　
　
ｄ：「【0010】ガイダー20には、糸状弾性体としてのエラステイックスを貫通させるためのガイド孔20ａが均等位置にて穿設され、ガイダー20の下部はボルト26を用いてガイダー支持台21内のシャフト21ａに固定されている。このシャフト21ａはベアリング21ｂを介してガイダー支持台21内に軸支されており、従ってガイダー20の首振り回動を自在にしている。」　
　
ｅ：「【0012】このような構成を有するガイダー機構の動作を以下に説明する。まず、カムロール25を回転させると、凸条25ａに沿ってボルト27、27が移動し、それに伴いスライド板22が矢印Ａ方向に往復移動し、ガイド孔20ａに通されたエラステイックスは、図2の矢印Ｂまたは矢印Ｃ方向の先に設けられた状態とすると、図6に示すａ，ｂの方向に、また図7に示すｃの方向に振ることができ、次いでプレスロールにてニップすると、湾曲曲線を描いた状態で帯状シートに固定される。」　
　
ｆ：「【0015】これに対し、本実施例では、ガイダー20が首振り自在に回動するように構成されているため、ガイダー20を常時ニップされている方向に向けることができ、ガイダー20のガイド孔20ａのピッチと同じかそれに近い間隔でエラステイックスを配置することができるようになる。・・・　
【0016】より詳しく説明すると、エラステイックスに付与された張力は、ガイダー下部に設けられたベアリング21ｂの回転抵抗よりも大きいため、ガイダー20を常時引っ張るよう作用することになり、それにより、プレスロールのニップ先を向くことができるようになる。」　
　
ｇ：「【0019】図3は上記構成の実施例により得られるエラステイックスの配置を概略的に示したものである。同図に示されるように、ガイダー20のガイド孔形成面と、エラステイックスとの角度は90°を維持しているため、エラステイックスは常に等間隔で帯状シートに張り付けられることになる。」　
　
ｈ：「【0021】　
【発明の効果】以上、説明したことから明かなように、本発明のギャザ製作方法によれば、見栄えが良く、且つ着用感も優れたギャザを有する使い捨て着用品を製作することができるという長所を有する。」　
　
　
＜2-3-3＞対比・判断　
　訂正後の本件請求項1に係る発明（以下、「本件請求項1の発明」という）と上記先願明細書に記載された発明とを対比すると、　
先願明細書に記載された発明の「ガイダー」、「複層帯状シート」、「流れ方向（トップシートまたはバックシートの材料である帯状連続シートの進行方向）に直交する方向」は、本件請求項1の発明の「ガイド」、「バックシートまたはトップシート」、「連続シートの幅方向」に、先願明細書に記載された「糸状弾性体」または「エラステイックス」は本件請求項1の発明の「弾性糸」に、各々、相当し、　
両者は「バックシートまたはトップシートに脚部用の弾性糸が複数本添設され、該複数の弾性糸によってパンツの前側および後側に湾曲した前ラインと後ラインがそれぞれ構成されている使い捨てパンツを製造する方法であって、上記複数の弾性糸を等間隔に挿通して連続シート幅方向へ往復移動するガイドを、弾性糸の添設軌跡に対して垂直となるように揺動させることにより、上記複数の弾性糸同士の間隔が等しくなるように接着することを特徴とする使い捨てパンツの製造方法」
で一致するが、　   
複数の弾性糸を等間隔に挿通して連続シート幅方向へ往復移動するガイドを、弾性糸の添設軌跡に対して垂直となるように揺動させる手段が、　
本件請求項1の発明においては「常に垂直となるように駆動機構により強制的に」揺動させる構成（以下、「相違する構成」という）であるのに対し、
先願明細書に記載された発明では、単に、ガイドの「首振り回動を自在に」（【0010】）した構成である点で、相違するもので、上記 相違する構成については示唆もされていない。そして、本件請求項1の発明は、上記相違する構成により、「この構成によって各弾性糸2、2、2の間隔を常に等間隔にしたままシート上へ接着することができ、図７の従来品のように一部で間隔が狭くなることはなくなる。従って、弾性糸2同士の接着間隔が狭くなって弾性復元力が着用者の肌に対して狭い面積内に集中し、赤い腫れや痛みが生じることを防止することができた。」（段落【0023】）という効果を奏するものであるから、本件の請求項1の発明は、先願明細書に記載された発明と同一であるということはできない。　
　したがって、本件請求項1の発明は、先願明細書に記載された発明と同一の発明であるということはできないので、特許法第29条の2第1項の規定により拒絶すべきものではないから独立して特許を受けることができないものということはできない。
　また、ほかに本件請求項1の発明を独立して特許を受けることができないとする理由も発見しない。
 ＜2-4＞むすび　
　以上のとおり、上記訂正は、特許法第120条の4第2項および第3項で準用する同法第126条第2項ないし第4項の規定に適合するので、当該訂正を認める。　
　
　
＜3＞特許異議の申立てについての判断　
＜3-1＞本件発明　
　本件請求項1に係る発明は、上記のとおり訂正が認められた結果、訂正明細書の特許請求の範囲の請求項1に記載されたとおりのものである。　
　
＜3-2＞申立ての理由の概要　
　異議申立人　中野宗昭は甲第1号証として、特願平5-283660号（特開平7-136210号公報参照）を提出し、本件特許の請求項1に係る発明は、本件特許の出願前の出願であってその出願後に出願公開された明細書である甲第1号証に記載された発明と同一であるので、特許法第29条の2の規定に該当し、特許を受けることができないものであるから、本件請求項1に係る発明の特許は取り消されるべきものである旨、主張している。　
　
＜3-3＞証拠　
　異議申立人の提出した甲第1号証に記載された事項は、前記の「＜2-3-2＞引用発明」において述べたとおりである。　
　　
＜3-4＞判断　
　本件請求項1に係る発明と甲第1号証に記載された発明（先願発明）との対比は、前記の「＜2-3-3＞対比・判断」において述べたとおりである。  　
　異議申立人は、甲第1号証に記載された発明は、ガイド（ガイダー）の首振り自在の回動により本件の請求項1の発明と同じ効果を奏するものである旨、主張する。　
　しかしながら、「＜2-3-3＞対比・判断」で述べたように、両者の構成は相違するから同一とはいえず、異議申立人の主張は採用できない。　
　
＜3-5＞むすび　
　以上のとおりであるから、本件請求項1に係る発明は、本件特許の出願前の出願であって、その出願後に出願公開された明細書または図面に記載された発明と同一であるということはできない。　
　また、ほかに本件請求項1に係る特許を取り消すべき理由を発見しない。　
　よって、結論のとおり決定する。
【異議決定日】
平成１２年７月３１日（２０００．７．３１）
【訂正の要旨】
訂正の要旨
　特許請求の範囲の請求項１の
「【請求項１】
バックシートまたはトップシートに脚部用の弾性糸が複数本添設され、該複数の弾性糸によってパンツの前側および後側に湾曲した前ラインと後ラインがそれぞれ構成されている使い捨てパンツを製造する方法であって、上記複数の弾性糸を等間隔に挿通して連続シート幅方向へ往復移動するガイドを、弾性糸の添設軌跡に対して常に垂直となるように揺動させることにより、上記複数の弾性糸同士の間隔が等しくなるように接着することを特徴とする使い捨てパンツの製造方法。」
を、特許請求の範囲の減縮を目的として、訂正明細書の特許請求の範囲の請求項１の記載のとおり、すなわち、
「【請求項１】
バックシートまたはトップシートに脚部用の弾性糸が複数本添設され、該複数の弾性糸によってパンツの前側および後側に湾曲した前ラインと後ラインがそれぞれ構成されている使い捨てパンツを製造する方法であって、上記複数の弾性糸を等間隔に挿通して連続シート幅方向へ往復移動するガイドを、弾性糸の添設軌跡に対して常に垂直となるように駆動機構により強制的に揺動させることにより、上記複数の弾性糸同士の間隔が等しくなるように接着することを特徴とする使い捨てパンツの製造方法。」
に訂正し、さらに、上記請求項１の訂正に伴い、特許請求の範囲請求項２の
「【請求項２】
上記複数の弾性糸を挿通して連続シート幅方向へ往復移動するガイドを、シート幅方向の略中央からスタートして左右幅方向へ移動させることにより、上記前ラインおよび後ラインの有効弾性範囲における弾性復元力がほぼ均一になるように弾性糸を配設するものである請求項１記載の使い捨てパンツの製造方法。」
を、明りょうでない記載の釈明を目的として、訂正明細書の特許請求の範囲の請求項２の記載のとおり、すなわち、
「【請求項２】
バックシートまたはトップシートに脚部用の弾性糸が複数本添設され、該複数の弾性糸によってパンツの前側および後側に彎曲した前ラインと後ラインがそれぞれ構成されている使い捨てパンツを製造する方法であって、上記複数の弾性糸を等間隔に挿通して連続シート幅方向へ往復移動するガイドを、弾性糸の添設軌跡に対して常に垂直となるように揺動させることにより、上記複数の弾性糸同士の間隔が等しくなるように接着すると共に、上記ガイドを、シート幅方向の略中央からスタートして左右幅方向へ移動させることにより、上記前ラインおよび後ラインの有効弾性範囲における弾性復元力がほぼ均一になるように弾性糸を配設することを特徴とする使い捨てパンツの製造方法。」
に訂正するとともに、特許明細書の段落【００１４】【００１５】【００１８】を明りょうでない記載の釈明を目的として訂正明細書の段落【００１４】【００１５】【００１８】の記載のとおりに訂正する。
（５４）【発明の名称】
使い捨てパンツの製造方法
（５７）【特許請求の範囲】
　【請求項１】　バックシートまたはトップシートに脚部用の弾性糸が複数本添設され、該複数の弾性糸によってパンツの前側および後側に湾曲した前ラインと後ラインがそれぞれ構成されている使い捨てパンツを製造する方法であって、上記複数の弾性糸を等間隔に挿通して連続シート幅方向へ往復移動するガイドを、弾性糸の添設軌跡に対して常に垂直となるように
駆動機構により強制的に
　【請求項２】　
バックシートまたはトップシートに脚部用の弾性糸が複数本添設され、該複数の弾性糸によってパンツの前側および後側に湾曲した前ラインと後ラインがそれぞれ構成されている使い捨てパンツを製造する方法であって、上記複数の弾性糸を等間隔に挿通して連続シート幅方向へ往復移動するガイドを、弾性糸の添設軌跡に対して常に垂直となるように揺動させることにより、上記複数の弾性糸同士の間隔が等しくなるように接着すると共に、上記
ことを特徴とする
【発明の詳細な説明】
　【０００１】
　【産業上の利用分野】
　本発明は幼児用または大人用の使い捨てパンツの製造方法に関し、詳細には脚部周りに形成される脚部用ギャザーが、着用者に対して不快感を与えず肌にやさしく形成されている使い捨てパンツの製造方法に関するものである。
　【０００２】
　【従来の技術】
　図４、５は使い捨てパンツを構成するバックシート１の解体説明図であり、該バックシート１には、パンツを着用者のウエストや胴部や脚部にフィットさせるため伸長状態の弾性糸２、７、８が添設されている。すなわちウエストに相当するバックシート１の上下端にはウエストラインＷに平行にウエスト部用の弾性糸８、８が配設され、またウエストと股下の間の胴部周囲に相当する部位には、胴部ギャザー用弾性糸７、７がウエスト部用の弾性糸８と平行に配設される。また着用者の脚部根元を囲むための脚部ギャザーとして、一方の脚部開口の半周に沿い、股下部を通ってもう一方の脚部開口の半周を沿う様に湾曲する脚部用の弾性糸２、２が添設されている。
　【０００３】
　前記脚部用の弾性糸２は、パンツの前身頃側に配設される前ライン２Ａと、パンツの後身頃側に配設される後ライン２Ｂによって形成され、これらラインはパンツの前身頃と後身頃でそれぞれ略Ｕ字形または逆略Ｕ字形に湾曲している。これら前ライン２Ａと後ライン２Ｂが、図４に示す様に股下部で交差するもの、あるいは図５に示す様に股下部で平行に配設されるものがある。
　【０００４】
　図４や図５の脚部用弾性糸の湾曲ラインの形状は、使い捨てパンツを連続的に製造するために採用されているものであり、股下部の弾性糸は明らかに脚部ギャザーとしては作用しない。実質的に脚部用ギャザーとして作用する部分は、脚部開口の周縁に位置する弾性糸のみであり、例えば図中のＹとして示される部分である。以下、添設される弾性糸２が脚部ギャザーとして作用する範囲を、「有効弾性範囲」と表わす。
　【０００５】
　図６には、脚部用の弾性糸２をバックシート１に連続的に添設するための一般的な方法を示した。後に切り離される個々の使い捨てパンツが横に並べられた状態に相当する連続バックシート１を白抜き矢印方向に走行させる。４はガイドロールであり、該ガイドロール４の上流側においては、図示しない接着剤塗布装置が設けられ、バックシート１の全面またはその一部にホットメルト接着剤等が霧状や網目状に塗布されている。必要によりガイドロール４と当接するピンチロール（図示しない）を設け、弾性糸２が添設されたバックシート１上に他のシート（図示しない）を積層し、弾性糸を速やかに両シートに接着させる。
　【０００６】
　図６においてガイドロール４の上流側には、弾性糸用の２本のガイドレール１０、１０が平行に設けられている。このガイドレール１０、１０上を、連続シートの長手方向に直交する方向（シート幅方向；図の黒矢印方向）に往復移動するガイド１１ａ、１１ｂが配設されており、このガイド上部に複数の弾性糸２が挿通されている。所望の添設軌跡を描くために、連続バックシート１の走行速度とガイドの往復移動距離および速度が調整される。また上記ガイド１１ａ、１１ｂの上流側には弾性糸供給ロール１２ａ、１２ｂがあり、一定時間内に一定量の弾性糸２をガイド１１ａ、１１ｂに送給して、弾性力の調整を行っている。
　【０００７】
　送給ロール１２ａ、１２ｂから供給される弾性糸２は、ガイド１１ａ、１１ｂを通り、ガイドロール４上を連続走行するバックシート１に接触して順次接着される。このとき、前記ガイド１１ａ、１１ｂがシート幅方向へ往復運動することによって弾性糸２はシート１の幅方向に変位するので、連続走行するバックシート上には、曲線を描きながら接着される。図４や図５の前ライン２Ａおよび後ライン２Ｂはこのようにしてバックシート１上に形成される。なお図中の符号Ｃ１、Ｃ２は仮想切断線を示し、Ｃ２は脚部開口形成用切断線であり、Ｃ１は個々の使い捨てパンツを分断するための切断線である。
　【０００８】
　【発明が解決しようとする課題】
　上記ガイド１１ａ、１１ｂはシート幅方向に往復運動するものであるが、このガイドの向きはシート走行方向に固定されているため、弾性糸間の間隔が均一にならないという問題がある。連続シート上に、３本の弾性糸がサインカーブを描く様にガイドで制御して添設させる場合の弾性糸２の添設軌跡とこの弾性糸２を導くガイド１１ａの移動位置（Ｇ１〜Ｇ５）を、図７に模式的に示した。ガイドがＧ１、Ｇ３およびＧ５の位置にあるとき、弾性糸２とガイド１１ａの交差角度はほぼ直交しており、ガイド１１ａにおける弾性糸２の挿通孔の間隔はそのまま弾性糸２同士の添設間隔ｄ１およびｄ５として確保することができる。しかしながら上端と下端の中間位置のＧ２およびＧ４にガイドがあるとき、ガイド１１ａと弾性糸２の添設軌跡は斜めに交わるように挙動するため、この中間位置における弾性糸２同士の間隔ｄ２は、上記添設間隔ｄ１よりも狭くなる。特にひどい場合は間隔ｄ２がほぼ０ｍｍとなり、あたかも一本の太い弾性体の様になる。
　【０００９】
　その結果、脚部用の弾性体２の有効弾性範囲Ｙについて見ると、股下部中央側のＺａで弾性糸２同士の接着間隔が狭く、胴側部側のＺｂで接着間隔が広くなることになる。股下部側で弾性糸２同士の接着間隔が狭くなると、弾性糸２の弾性復元力が着用者の肌に対して狭い面積内に集中するため、特に柔らかい太ももの内側部分を過剰に締め付けることになり、赤い腫れや痛みが生じ、着用感が劣るという問題があった。
　【００１０】
　そこで本発明の第１の目的は、弾性糸２の弾性復元力が狭い面積に集中することを防止し、不快感を生じさせない脚用ギャザーを有する使い捨てパンツの製造方法を提供することにある。
　【００１１】
　一方、前記脚部用の弾性糸２の添設状態における弾性復元力に着目すると、その復元力の強弱は図８に示すグラフのようになる。ガイド１１ａのスタート位置をＧ１とし、初期の張力をＴ０とすると、ガイド１１ａが幅方向に移動するにつれて、弾性糸２の弾性復元力は徐々に増大する。これはガイド１１ａの上流側にある弾性糸供給ロール１２ａが移動せず、ガイドのみが横移動するためであり、スタート位置Ｇ１から離れるにつれて弾性糸２が引っ張られる距離が増加し、復元力が増大するのである。そして、Ｇ３の位置で復元力は最大となる。
　【００１２】
　従って使い捨てパンツにおける脚部の有効弾性範囲Ｙのみについて考えると、胴側部Ｚｂ側では弾性復元力は最低となり、逆に股下部中央側のＺａで最大となる。このように有効弾性範囲Ｙの端部において、弾性復元力の最大と最小が形成されると、股下部の中央部側で弾性復元力が異常に高い部位が生じ、着用者の太腿の内側を過剰に締め付けることになる。逆に弾性復元力の最大値を低くして肌に負担がかからないようにすることも考えられるが、そうすると弾性復元力の最小値が極端に低下し過ぎ、この部分でギャザーが形成されなくなる恐れがある。なお、スタート地点をＧ３とすると、最低と最大の発生位置は逆になる。
　【００１３】
　そこで本発明の第２の目的は、脚用ギャザーにおける弾性糸の弾性復元力が一部で大きくなり過ぎて着用者に対して痛みや腫れなどの不快感を与えることを防止できる使い捨てパンツの製造方法を提供することにある。
　【００１４】
　【課題を解決するための手段】
　上記第１の目的を達成した本発明は、バックシートまたはトップシートに脚部用の弾性糸が複数本添設され、該複数の弾性糸によってパンツの前側および後側に湾曲した前ラインと後ラインがそれぞれ構成されている使い捨てパンツの製造方法であって、上記複数の弾性糸を等間隔に挿通して連続シート幅方向へ往復移動するガイドを、弾性糸の添設軌跡に対して常に垂直となるように駆動機構により強制的に揺動させることにより、上記複数の弾性糸同士の間隔が等しくなるように接着するところに要旨を有する。
　【００１５】
　また第２の目的を達成した本発明は、バックシートまたはトップシートに脚部用の弾性糸が複数本添設され、該複数の弾性糸によってパンツの前側および後側に湾曲した前ラインと後ラインがそれぞれ構成されている使い捨てパンツの製造方法であって、上記複数の弾性糸を等間隔に挿通して連続シート幅方向へ往復移動するガイドを、弾性糸の添設軌跡に対して常に垂直となるように駆動機構により強制的に揺動させることにより、上記複数の弾性糸同士の間隔が等しくなるように接着すると共に、上記ガイドを、シート幅方向の略中央からスタートして左へ右幅方向へ移動させることにより、上記前ラインおよび後ラインの有効弾性範囲における弾性復元力がほぼ均一になるように弾性糸を配設したところに要旨を有する。
　【００１６】
　この構成の採用によって、複数の弾性糸同士の間隔は等しく接着されると共に、前ラインおよび後ラインの有効弾性範囲における弾性復元力がほぼ均一に配設されることになる。
　【００１７】
　【作用】
　本発明は、使い捨てパンツを構成するバックシートまたはトップシートに少なくとも脚部用の弾性糸が添設され、該弾性糸は複数本からなり、使い捨てパンツの前側および後側にＵ字形または逆Ｕ字形の前ラインおよび後ラインを形成するように添設されるものを対象とする。そしてこれら前ラインおよび後ラインを連続的に形成するため、連続走行するシートの幅方向に往復移動するガイドを設け、該ガイドに形成される複数の挿通孔にそれぞれ弾性糸を通し、シートの走行とガイドの横移動によって上記前ラインおよび後ラインを連続形成する。
　【００１８】
　ここで、前記ガイドは角度変更ができる様に揺動自在に、すなわち、ガイドの横移動とガイドの角度変更が同期して行えるように構成することが必要である。挿通孔を備えたガイドは、横移動に伴い、弾性糸の添設軌跡に対して常に直交するように駆動機構により強制的に角度変更される。この結果、弾性糸の添設軌跡に対して上記挿通孔は常に平行状態となり、それにより添設される弾性糸の間隔は常時均一（挿通孔の配設間隔通りに接着される）にできる。従って複数本の弾性糸の弾性復元力は広い面積に分散されることになり、着用者の脚部周りの一部に集中することはなく、痛みや腫れを生じることもなくなる。
　【００１９】
　また、上記前ラインおよび後ラインにおいて脚部用ギャザーとして作用する範囲は有効弾性範囲に限られているので、本発明法においては、この範囲において添設される弾性糸の弾性復元力をほぼ均一にするため、前記ガイドのスタート位置はシート幅方向の略中央とする構成を採用することが好ましい。このとき当然ガイドの上流側に配置される弾性糸の供給ロールは、ガイドスタート位置と同じシート幅方向の略中央に配設されるものとする。この構成の採用によって、ガイドが横移動することによって生じる弾性糸の横方向への引張り距離が、ガイドストロークの半分で済み、スタート位置からの弾性復元力の差異を可及的に小さくできる。添設される弾性糸の弾性復元力はスタート位置で若干弱くなるものの、最大値と最小値の差異は小さくでき、特に脚部周りの有効弾性範囲において弾性復元力をほぼ均一とすることができる。
　【００２０】
　なおガイドの横移動によって生じる弾性糸の弾性復元力の低下は、ガイドの上流側に設けられる供給ロールにおける弾性糸の供給量を減少させることによって容易に調整される。弾性糸の弾性復元力が脚部周りで均一になれば、この復元力が一か所に集中することによって引き起こされる、着用者への痛みや腫れの発生は防止される。
　【００２１】
　【実施例】
　本発明請求項１の製造方法を実施するため、前述した図６の製造手段を使用する。ガイド１１ａは、図２に示した様に支軸２１を介してガイドレール１０に揺動自在に配設する。そして該ガイド１１ａは図示しない偏心カムで構成される駆動機構により、実線に示すＧ１（Ｇ３、Ｇ５）位置から破線で示すＧ２，Ｇ４位置に作動させる。ガイド１１ａには等間隔に挿通孔２２、２２、２２を配設し、これらに１本ずつ弾性糸２を挿通しておく。
　【００２２】
　すなわち上記ガイド１１ａは図１に示した様に、横移動に合わせてＧ１からＧ５に示す各位置で、弾性糸の添設軌跡と図１のように同期して揺動させる。この図１では弾性糸２の添設軌跡は正弦曲線を描いており、ガイド１１ａは図の上下方向（バックシートの幅方向）に往復移動する。このときガイド１１ａは、上記駆動機構により、弾性糸２の添設軌跡と常に直交する角度を保てるように、支軸２１を中心にして強制的に揺動（角度変更）する（図２）。
　【００２３】
　この構成によって各弾性糸２、２、２の間隔を常に等間隔にしたままシート上へ接着することができ、図７の従来品のように一部で間隔が狭くなることはなくなる。従って弾性糸２同士の接着間隔が狭くなって弾性復元力が着用者の肌に対して狭い面積内に集中し、赤い腫れや痛みが生じることを防止することができた。なお上記ガイド１１ａを揺動させるための駆動機構は、上記偏心カムに限られず、ラック／ピニオンや復動シリンダ、サーボモータなどを用いたものであっても構わない。
　【００２４】
　一方、図３は上記ガイド１１ａの横移動位置と弾性糸２の弾性復元力の関係を示すグラフである。本発明の請求項２の構成を達成するため、ガイド１１ａのスタート位置は往復移動ストロークＳの中央位置Ｇ３に設定する。このときガイド１１ａの上流側に配設される供給ロール１２ａは、ガイドスタート位置と同じくシート幅方向略中央部に配設される。このスタート位置における初期の張力をＴ１とすると、ガイド１１ａの横移動によって弾性糸の弾性復元力は変化してストロークの両端部で最大値となる。最大値と最小値の差はＴ２となる。
　【００２５】
　従来例を示した図８と比較すると明らかな様に、本発明におけるＴ２は、ガイドのスタート位置からの横移動距離が半分となることに起因して、ＴＭの半分で済むようになり、弾性糸２における弾性復元力の最大と最小の差異は格段に小さくすることができる。なお弾性糸２の総体的な弾性復元力を小さくしないために供給ロール１２ａ、１２ｂにおける弾性糸２の供給量を調整する（単位時間内の供給量を少なくする）ことによって、初期張力Ｔ１をＴ０に比べ嵩上げすることで解決できる。
　【００２６】
　図３の本発明実施例においては、弾性糸２の有効弾性範囲Ｙの両端Ｚａ，Ｚｂにおける弾性復元力の差異はほとんどなく、脚用ギャザーの弾性体としてほぼ均一な弾性復元力を形成することが可能となる。
　【００２７】
　以上詳述した通り、添設される脚用弾性糸２の弾性復元力は、有効弾性範囲Ｙにおいて従来品より均一化されるので、弾性復元力が一部に集中することによって引き起こされる着用者への痛みや腫れなどの不快感が発生せず、肌に優しい着用感を達成できる。
　【００２８】
　請求項２に記載の本発明法を採用すれば、得られる使い捨てパンツは、着用者の脚部周りをやさしく包むように密封する脚部ギャザーを形成でき、着用感をより一層優れたものとすることができる。
　【００２９】
　なお上記弾性糸２は１枚のシートに添設されるもの、あるいは２層のシート間に弾性糸２を配設するもののいずれであっても良く、これは使い捨てパンツを構成するバックシートまたはトップシートのいずれか、あるいはこれらのシートの間に設けられる他のシートに配設するもののいずれであっても良い。またシートに弾性糸を接着する手段は、上述のようにシートに予め接着剤を塗布しておく方法に限られず、弾性糸に接着剤を塗布してこれをシートに接着する方法であっても良い。
　【００３０】
　【発明の効果】
　請求項１の製造方法によれば、着用者の脚部根元部において、複数の弾性糸が等間隔に接着され面状に広がって着用者の肌に当接するように弾性糸を使い捨てパンツに接着することができるので、弾性糸の弾性復元力が一部線状に作用して肌に赤い腫れや痛みを引き起こすといった不都合を防止することができる。また請求項２の製造方法を採用すれば、さらに、弾性糸の弾性復元力が胴側部と股下部で不均一になって一部のみを強く締め付けるという問題を解決でき、脚部根元周りにほぼ均一に作用する着用感に優れた脚用ギャザーを形成することができる。従って、本発明法で製造される使い捨てパンツは、着用者に対しさらに優しい脚部ギャザーが配設されていることとなった。
【図面の簡単な説明】
　【図１】
　本発明による脚部用弾性糸の配設状態を示す説明図である。
　【図２】
　図１の構成を達成するためのガイド構成の実施例を示す平面説明図である。
　【図３】
　本発明における弾性糸の弾性復元力を示すグラフである。
　【図４】
　使い捨てパンツのバックシート構造の例を示す説明図である。
　【図５】
　使い捨てパンツのバックシート構造の例を示す説明図である。
　【図６】
　脚部用弾性糸の添設手段を示す構成説明図である。
　【図７】
　従来の脚部用弾性糸の接着状態を示す説明図である。
　【図８】
　従来の脚部用弾性糸における弾性復元力の状態を示すグラフである。
　【符号の説明】
　１　バックシート
　２　脚部用の弾性糸
　２Ａ　前ライン
　２Ｂ　後ライン
　４、５　ガイドロール
　７　サイド部用の弾性糸
　８　胴部用の弾性糸
　１０　ガイドレール
　１１ａ、１１ｂ　ガイド
　１２ａ、１２ｂ　供給ロール
　Ｃ１、Ｃ２　切断線
　Ｇ１〜Ｇ５　ガイド位置
　Ｓ　ストローク
　Ｙ　有効弾性範囲